(57)【要約】【課題】複数及び複数種類の雑草を同時に根部分から抜くことのできる雑草抜根ユニットを提供すること。【解決手段】雑草抜根ユニット１は、建設機械の用途別アタッチメント（フォークグラブ等）に付設するＬ字形状の挟持体アタッチメント２０と、挟持体アタッチメント２０に固定する長尺の雑草挟持体１０と、を備える。雑草挟持体１０は、材質がゴムである雑草接触部１１と、雑草接触部１１に重ねて、接着により固定した材質が木材である積層台部１２と、を備える。【選択図】図１
2018064465.tif 000002
【特許請求の範囲】
【請求項１】
建設機械の用途別アタッチメントに付設するユニットであって、
前記用途別アタッチメントに固定する挟持体アタッチメントと、
前記挟持体アタッチメントに固定する長尺かつ１対の雑草挟持体と、
で構成し、
少なくとも前記雑草挟持体として、弾性体である雑草接触部を備える雑草抜根ユニット。
【請求項２】
前記雑草挟持体が直方体形状である請求項１の雑草抜根ユニット。
【請求項３】
前記雑草挟持体として、雑草接触部に重ねて固着する積層台部を備える請求項１又は請求項２に記載の雑草抜根ユニット。
【請求項４】
請求項１から請求項３いずれかの雑草抜根ユニットを建設機械の用途別アタッチメントに付設した用途別アタッチメント又は建設機械。
【発明の詳細な説明】
【技術分野】
【０００１】
本願発明は、雑草を根部分から引き抜いて取り除く作業に適した雑草抜根ユニットに関するものである。
【背景技術】
【０００２】
雑草の取り除き作業を人の手のみで行うと多大な労力を要する。
【０００３】
草刈り機を使用して行うと労力は軽減するが、雑草の根部分が残ってしまうため一定期間でまた雑草が成長し元の状態に戻ってしまう。
【０００４】
従来より、建設機械のアーム端所に用途に合わせた用途別アタッチメント（バケットやフォークグラブ等）を装着して利用がなされている（例えば、特許文献１）が、雑草の取り除き作業に適した用途別アタッチメントは存在しない。
【０００５】
また、用途別アタッチメントの一部をさらに取り換え可能にしたものも存在する（例えば、特許文献２）が、雑草の取り除き作業に適したものについては記載されていない。
【先行技術文献】
【特許文献】
【０００６】
【特許文献１】特開２００３−１９３５０４号公報
【特許文献２】特開２０１２−１０２５５５号公報
【発明の概要】
【発明が解決しようとする課題】
【０００７】
上述したように、雑草の取り除き作業において、長期間あるいは恒久的に雑草を取り除く作業に適し人の労力を軽減するユニット及び装置は存在しない。
【０００８】
そこで、長期間あるいは恒久的に雑草を取り除く作業に適し人の労力を軽減するユニット及び装置を提供することを課題とした。
【課題を解決するための手段】
【０００９】
本願発明は、上述の課題を解決するために、建設機械の用途別アタッチメントに付設するユニットであって、前記用途別アタッチメントに固定する挟持体アタッチメントと、前記挟持体アタッチメントに固定する長尺かつ１対の雑草挟持体と、で構成し、少なくとも前記雑草挟持体として、弾性体である雑草接触部を備える雑草抜根ユニットを提供する。
【００１０】
また、本願発明は、上述の課題を解決するために、建設機械の用途別アタッチメントに付設するユニットであって、前記用途別アタッチメントに固定する挟持体アタッチメントと、前記挟持体アタッチメントに固定する長尺かつ１対の雑草挟持体と、で構成し、少なくとも前記雑草挟持体として、弾性体である雑草接触部を備え、前記雑草挟持体が直方体形状である雑草抜根ユニットを提供する。
【００１１】
また、本願発明は、上述の課題を解決するために、建設機械の用途別アタッチメントに付設するユニットであって、前記用途別アタッチメントに固定する挟持体アタッチメントと、前記挟持体アタッチメントに固定する長尺かつ１対の雑草挟持体と、で構成し、前記雑草挟持体が、弾性体である雑草接触部及び前記雑草接触部に重ねて固着する積層台部を備え、前記雑草挟持体が直方体形状である雑草抜根ユニットを提供する。
【００１２】
また、本願発明は、上述の課題を解決するために、前記雑草抜根ユニットのいずれかを建設機械の用途別アタッチメントに付設した用途別アタッチメント又は建設機械を提供する。
【発明の効果】
【００１３】
本願発明の雑草抜根ユニットは、建設機械に付設可能な長尺、かつ、少なくともその一部を弾性体で構成する１対の雑草挟持体を備えるため、複数種類かつ複数の雑草を同時に挟持し、そして根部分を含めて抜くことができる。また、建設機械の操作により雑草の取り除き作業が行なえるため、人の労力も大幅に軽減される。
【００１４】
本願発明の雑草抜根ユニットは、雑草挟持体が直方体形状であるため、加工及び製造も容易となる。
【００１５】
本願発明の雑草抜根ユニットは、雑草挟持体が弾性体である雑草接触部及び前記雑草接触部に重ねて固着する積層台部を備えるため、保守性に優れる。また、強度にも優れる。
【００１６】
本願発明の建設機械の用途別アタッチメント又は建設機械は、長尺、かつ、少なくともその一部を弾性体で構成する１対の雑草挟持体を備えるため、複数種類かつ複数の雑草を同時に挟持し、そして根部分を含めて抜くことができる。また、建設機械の操作により雑草の取り除き作業が行なえるため、人の労力も大幅に軽減される。
【図面の簡単な説明】
【００１７】
【図１】図１は、実施例１の雑草抜根ユニットの構成を示す図である。
【図２】図２は、雑草抜根ユニットをフォークグラブの刃先内側部分に付設した状態を示す使用形態イメージ図である。
【図３】図３は、雑草取り除き作業時の様子を示した使用状態イメージ図である。
【図４】図４は、実施例２の雑草抜根ユニットの構成を示す図である。
【発明を実施するための形態】
【００１８】
複数種類の雑草が生い茂った場所で、長期間あるいは恒久的に雑草を取り除く作業を行う際に使用する。
【実施例１】
【００１９】
まずは、雑草抜根ユニットの構成について、図１及び図２に従い説明する。
【００２０】
雑草抜根ユニット（１）は、所定の長尺体を２本１対にした雑草挟持体（１０）と、前記雑草挟持体の外側面に沿ったＬ字形状の挟持体アタッチメント（２０）と、で構成する（図１）。
【００２１】
前記雑草挟持体（１０）は、複数の雑草を同時に挟持するため、水平方向に長尺であることを要する（図１）。
【００２２】
前記雑草挟持体（１０）は、雑草を取り除く作業を行う際に、雑草と接触する側あるいは雑草を挟持する側である雑草接触部（１１）と、前記雑草接触部と重ねて接着した積層台部（１２）と、で構成する（図１）。
【００２３】
前記雑草接触部（１１）は、茎の太さや根の張り方が異なる複数種類の雑草を同時に挟持するため、弾性体であることを要する（図１）。
【００２４】
前記雑草接触部（１１）の形状及び材質について、長尺の板状ゴムを使用している。
【００２５】
前記雑草接触部（１１）の水平方向長さ（Ｌ１）について、複数の雑草を同時に挟持できる程度の長さであれば良い（図１）。
【００２６】
前記雑草接触部（１１）の垂直方向高さ（Ｌ２）について、複数の雑草を同時に挟持できる程度の高（幅）さであれば良いが、雑草の取り除き作業時であって建設機械の用途別アタッチメントを閉じた際にその圧力で雑草が切断されない程度の高さ（幅）であることを要する（図１）。
【００２７】
前記積層台部（１２）の形状及び材質について、直方体の木材を使用している。
【００２８】
前記積層台部（１２）の水平方向長さ及び垂直方向高さについて、前記雑草接触部（１１）の水平方向長さ及び垂直方向高さと同一としているが、前記雑草接触部が固定できれば良い（図１）。
【００２９】
前記雑草接触部（１１）と前記積層台部（１２）との固定は、境界部に接着剤を塗布して接着により固定している。これは、金属製のネジや金属製のボルトなどの固定部材で固定をすると当該固定部材に弾力がないため、当該固定部材箇所で挟持された雑草が切断されてしまう可能性があることに配慮したものである。
【００３０】
前記挟持体アタッチメント（２０）は、前記雑草挟持体（１０）を建設機械の用途別アタッチメントに固定するための部材である。
【００３１】
前記挟持体アタッチメント（２０）の形状について、前記雑草挟持体（１０）の外側面に沿ったＬ字形状としているが、前記雑草挟持体が固定できればその他の形状も許容し得る。例えば、前記雑草挟持体（１０）の外側面に沿ったコ字形状などである（図示せず）。
【００３２】
当該雑草挟抜根ユニット（１）の固定位置について、建設機械（３０）の用途別アタッチメントの内側先端近傍で雑草が挟持できれば許容し得るが、前記用途別アタッチメントの内側最先端に固定するのが好ましい（図２）。
【００３３】
前記挟持体アタッチメント（２０）と建設機械（３０）の用途別アタッチメントとの固定方法について、本実施例では溶接により固定しているが、好ましくは、取り付け及び取り外しが容易な構造である。さらに好ましくは、着脱自在な構造である。
【００３４】
次に、雑草の取り除き作業を行っている際の作動イメージについて、図３に従い説明する。
【００３５】
建築機械（３０）の用途別アタッチメントを、雑草（４０）が生い茂っている地表近傍位置で閉操作する。
【００３６】
前記操作により、前記建設機械の用途別アタッチメントの内側に付設した雑草抜根ユニット（１）が複数種類かつ複数の雑草（４０）を同時に挟持する。
【００３７】
前記建設機械（３０）のアームを引き上げ操作することにより、前記雑草抜根ユニットに挟持された雑草（４０）は、すべて根部分から抜ける。
【００３８】
前述したように、当該雑草抜根ユニットの挟持及び引き上げが、建設機械（３０）により行われるため、人の手では抜き難いあるいは抜けない雑草（茎に棘がある、茎が滑る、根が張っている等）であっても根部分から抜くことができる。
【００３９】
また、当該雑草抜根ユニット（１）が水平方向に長尺であるため、大量の雑草を同時に抜くことができ、労力が大幅に軽減される。
【実施例２】
【００４０】
実施例２は雑草挟持体の構造が異なる雑草抜根ユニットである。その構成について、実施例１と異なる部分のみを図４に従い説明する。
【００４１】
雑草抜根ユニット（１）は、所定の長尺体を２本１対にした雑草挟持体（１０）と、Ｌ字形状の挟持体アタッチメント（２０）とからなり、前記雑草挟持体は、弾性体である雑草接触部（１１）のみで構成する。
【００４２】
前記雑草接触部（１１）の形状及び材質について、直方体のゴムを使用している。
【００４３】
前記雑草接触部（１１）の水平方向長さについて、複数の雑草を同時に挟持できる程度の長さであれば良い。
【００４４】
前記雑草接触部（１１）の垂直方向高さについて、複数の雑草を同時に挟持できる程度の高（幅）さであれば良いが、雑草の取り除き作業時であって建設機械の用途別アタッチメントを閉じた際にその圧力で雑草が切断されない程度の高さ（幅）であることを要する。
【００４５】
その他の構成については、実施例１と同様であるため省略する。
【００４６】
また、雑草の取り除き作業をしているときの作動についても実施例１と同様であるため省略する。
【産業上の利用可能性】
【００４７】
本願発明は、雑草の取り除き作業に優れた雑草抜根ユニット等であるので産業上の利用性可能性を有する。
【符号の説明】
【００４８】
１          雑草抜根ユニット
１０        雑草挟持体
１１        雑草接触部
１２        積層台部
２０        挟持体アタッチメント
３０        建設機械
４０        雑草
Ｌ１        雑草接触部の水平方向長さ
Ｌ２        雑草接触部の垂直方向高さ
【図１】
2018064465.tif 000003
【図２】
2018064465.tif 000004
【図３】
2018064465.tif 000005
【図４】
2018064465.tif 000006